(57)【特許請求の範囲】
【請求項１】
コンテンツ再生用のオブジェクトである第１オブジェクトの表示対象であって同一のシリーズ情報を有する全コンテンツの中から、コンテンツをひとつ選択する選択手段と、
上記選択手段が選択したコンテンツと、上記表示対象であって上記シリーズ情報を含んでいないコンテンツとに関し、各コンテンツの属性値を少なくとも含む複数の要素をソートする第１整列手段と、
上記シリーズ情報を有さないコンテンツを再生するための第１オブジェクトと、上記同一のシリーズ情報を有する各コンテンツの第１オブジェクトを表示させるためのオブジェクトであって上記選択手段が選択したコンテンツを表すオブジェクトでもある第２オブジェクトと、を異なる態様で表示部に表示する第１の表示制御手段であって、第１整列手段により相対的に先頭の近くに配置される属性値を持つコンテンツのオブジェクトがより先頭側に配置される並び順で、第１オブジェクトと第２オブジェクトとを表示する第１の表示制御手段と、を備えている、ことを特徴とする表示制御装置。
【請求項２】
上記各コンテンツの属性値である第１属性値と、第１属性値とは属性の種類が異なる第２属性値と、を含む上記全コンテンツの属性情報を、第１属性値をキーとしてソートする第２整列手段と、
第２属性値をキーとして、上記同一のシリーズ情報を有する各コンテンツの上記属性情報をソートする第３整列手段と、
ユーザにより第２オブジェクトが指定されると、指定された第２オブジェクトに応じた各コンテンツの第１オブジェクトを、第３整列手段により相対的に先頭の近くに配置される属性情報を持つコンテンツの第１オブジェクトがより先頭側に配置される並び順で表示する第２の表示制御手段と、を更に備え、
上記選択手段は、上記全コンテンツの中から、第２整列手段により先頭に配置される属性情報を持つコンテンツを選択するように構成されている、ことを特徴とする請求項１に記載の表示制御装置。
【請求項３】
上記各コンテンツの属性値である第１属性値と、第１属性値とは属性の種類が異なる第２属性値とを含む上記全コンテンツの属性情報を、第１属性値または第２属性値をキーとしてソートする第２整列手段と、
ユーザにより第２オブジェクトが指定されると、指定された第２オブジェクトに応じた各コンテンツの第１オブジェクトを、第２整列手段により相対的に先頭の近くに配置される属性情報を持つコンテンツの第１オブジェクトがより先頭側に配置される並び順で表示する第２の表示制御手段と、を更に備え、
上記選択手段は、上記全コンテンツの中から、第２整列手段により先頭に配置される属性情報を持つコンテンツを選択するように構成されている、ことを特徴とする請求項１に記載の表示制御装置。
【請求項４】
コンテンツ再生用のオブジェクトである第１オブジェクトの表示対象であってシリーズ情報を有する全コンテンツを、同一のシリーズ情報を有するコンテンツ毎のグループに分類する分類手段と、
コンテンツが分類された各グループに関し、該グループに分類された１つ以上のコンテンツの中からコンテンツをひとつ選択する選択手段と、
上記選択手段が選択した各コンテンツの属性値を少なくとも含む複数の要素をソートする第１整列手段と、
上記各グループについて、該グループに分類された各コンテンツの第１オブジェクトを表示させるためのオブジェクトであって上記選択手段が該グループに分類された１つ以上のコンテンツの中から選択したコンテンツを表すオブジェクトでもある第２オブジェクトを第１オブジェクトとは異なる態様で表示部に表示する第１の表示制御手段であって、第１整列手段により相対的に先頭の近くに配置される属性値を持つコンテンツの第２オブジェクトがより先頭側に配置される並び順で、各グループの第２オブジェクトを表示する第１の表示制御手段と、を備えている、ことを特徴とする表示制御装置。
【請求項５】
上記各グループに関し、該グループに分類された各コンテンツの属性情報であって、上記各コンテンツの属性値である第１属性値と、第１属性値とは属性の種類が異なる第２属性値と、を含む属性情報を、第１属性値をキーとしてソートする第２整列手段と、
第２属性値をキーとして、上記各グループに関し、該グループに分類された各コンテンツの上記属性情報をソートする第３整列手段と、
ユーザにより第２オブジェクトが指定されると、第３整列手段により相対的に先頭の近くに配置される属性情報を持つコンテンツの第１オブジェクトがより先頭側に配置される並び順で、指定された第２オブジェクトに応じた各コンテンツの第１オブジェクトを表示する第２の表示制御手段と、を更に備え、
上記選択手段は、上記各グループに関し、該グループに分類された１つ以上のコンテンツの中から、第２整列手段により先頭に配置される属性情報を持つコンテンツを選択するように構成されている、ことを特徴とする請求項４に記載の表示制御装置。
【請求項６】
上記各グループに関し、該グループに分類された各コンテンツの属性情報であって、上記各コンテンツの属性値である第１属性値と、第１属性値とは属性の種類が異なる第２属性値と、を含む属性情報を、第１属性値または第２属性値をキーとしてソートする第２整列手段と、
ユーザにより第２オブジェクトが指定されると、第２整列手段により相対的に先頭の近くに配置される属性情報を持つコンテンツの第１オブジェクトがより先頭側に配置される並び順で、指定された第２オブジェクトに応じた各コンテンツの第１オブジェクトを表示する第２の表示制御手段と、を更に備え、
上記選択手段は、上記各グループに関し、該グループに分類された１つ以上のコンテンツの中から、第２整列手段により先頭に配置される属性情報を持つコンテンツを選択するように構成されている、ことを特徴とする請求項４に記載の表示制御装置。
【請求項７】
上記第３整列手段は、上記シリーズ情報を有する各コンテンツの号、巻または刊行日のいずれかをキーとして昇順で各コンテンツの上記属性情報をソートするように構成されている、ことを特徴とする請求項２または５に記載の表示制御装置。
【請求項８】
上記第３整列手段は、上記シリーズ情報を有する各コンテンツの購入日時をキーとして降順で各コンテンツの上記属性情報をソートするように構成されている、ことを特徴とする請求項２または５に記載の表示制御装置。
【請求項９】
上記第３整列手段は、上記シリーズ情報を有する各コンテンツのダウンロード日時をキーとして降順で各コンテンツの上記属性情報をソートするように構成されている、ことを特徴とする請求項２または５に記載の表示制御装置。
【請求項１０】
上記第２整列手段は、上記シリーズ情報を有する各コンテンツの号、巻または刊行日のいずれかをキーとして昇順で各コンテンツの上記属性情報をソートするように構成されている、ことを特徴とする請求項３または６に記載の表示制御装置。
【請求項１１】
上記第２整列手段は、上記シリーズ情報を有する各コンテンツの購入日時をキーとして降順で各コンテンツの上記属性情報をソートするように構成されている、ことを特徴とする請求項３、６または７に記載の表示制御装置。
【請求項１２】
上記第２整列手段は、上記シリーズ情報を有する各コンテンツのダウンロード日時をキーとして降順で各コンテンツの上記属性情報をソートするように構成されている、ことを特徴とする請求項３、６または７に記載の表示制御装置。
【請求項１３】
上記第１オブジェクトは、上記第１オブジェクトの表示対象であるコンテンツのサムネイルである、ことを特徴とする、請求項１から１２のいずれか１項に記載の表示制御装置。
【請求項１４】
上記コンテンツの第２オブジェクトは、上記コンテンツのサムネイルが付されたフォルダである、ことを特徴とする請求項１３に記載の表示制御装置。
【請求項１５】
コンテンツ再生用のオブジェクトである第１オブジェクトの表示対象であって同一のシリーズ情報を有する全コンテンツの中から、コンテンツをひとつ選択する選択工程と、
上記選択工程にて選択されたコンテンツと、上記表示対象であって上記シリーズ情報を含んでいないコンテンツとに関し、各コンテンツの属性値を少なくとも含む複数の要素をソートする整列工程と、
上記シリーズ情報を有さないコンテンツを再生するための第１オブジェクトと、上記同一のシリーズ情報を有する各コンテンツの第１オブジェクトを表示させるためのオブジェクトであって上記選択工程にて選択されたコンテンツを表すオブジェクトでもある第２オブジェクトと、を異なる態様で表示部に表示する表示制御工程であって、上記整列工程にて相対的に先頭の近くに配置される属性値を持つコンテンツのオブジェクトがより先頭側に配置される並び順で、第１オブジェクトと第２オブジェクトとを表示する表示制御工程と、を含んでいる、ことを特徴とする表示制御方法。
【請求項１６】
コンテンツ再生用のオブジェクトである第１オブジェクトの表示対象であってシリーズ情報を有する全コンテンツを、同一のシリーズ情報を有するコンテンツ毎のグループに分類する分類工程と、
コンテンツが分類された各グループに関し、該グループに分類された１つ以上のコンテンツの中からコンテンツをひとつ選択する選択工程と、
上記選択工程にて選択された各コンテンツの属性値を少なくとも含む複数の要素をソートする整列工程と、
上記各グループについて、該グループに分類された各コンテンツの第１オブジェクトを表示させるためのオブジェクトであって該グループに分類された１つ以上のコンテンツの中から上記選択工程にて選択されたコンテンツを表すオブジェクトでもある第２オブジェクトを第１オブジェクトとは異なる態様で表示部に表示する表示制御工程であって、上記整列工程にて相対的に先頭の近くに配置される属性値を持つコンテンツの第２オブジェクトがより先頭側に配置される並び順で、各グループの第２オブジェクトを表示する表示制御工程と、を含んでいる、ことを特徴とする表示制御方法。
【請求項１７】
請求項１から１４のいずれか１項に記載の表示制御装置としてコンピュータを動作させる表示制御プログラムであって、コンピュータを上記各手段として機能させるための表示制御プログラム。
【請求項１８】
請求項１７に記載の表示制御プログラムが記録されているコンピュータ読み取り可能な記録媒体。
【発明の詳細な説明】
【技術分野】
【０００１】
本発明は、主に、コンテンツを再生するためのオブジェクト（例えば、サムネイル）を表示部に表示する表示制御装置および表示制御方法に関する。また、本発明は、そのような表示制御装置としてコンピュータを機能させるための表示制御プログラム、および、そのような表示制御プログラムが記録されているコンピュータ読み取り可能な記録媒体に関する。
【背景技術】
【０００２】
現在、音楽コンテンツや映像コンテンツ等といったコンテンツを再生可能な再生機器が広く普及している。
【０００３】
近年販売される多くの再生機器は、自機に保存されているコンテンツのタイトルリストを表示部に表示し、タイトルリストの中からユーザが選択したタイトルのコンテンツを再生する機能を備えている。
【０００４】
特許文献１には、自機に保存されている全音楽コンテンツのタイトルを一覧表示するパーソナルコンピュータが開示されている。このパーソナルコンピュータは、ユーザが特定の属性値（例えば、アーティスト名）を指定した場合に、指定された属性値を持つ音楽コンテンツを抽出し、抽出した音楽コンテンツのタイトルだけを一覧表示する機能を備えている。
【０００５】
しかしながら、この機能を用いた場合、ユーザが所望のコンテンツに到達するまでに属性値を選択していくため、選択操作が増えてしまう可能性が高い。したがって、ユーザがそのような音楽コンテンツの再生を所望する場合には、全音楽コンテンツのタイトルの一覧から所望の音楽コンテンツのタイトルを見つけ出さなければならない。
【先行技術文献】
【特許文献】
【０００６】
【特許文献１】特開２００４−２２０４０４号公報（２００４年８月５日公開）
【発明の概要】
【発明が解決しようとする課題】
【０００７】
最近では、電子出版コンテンツを再生可能な電子書籍端末が普及し始めている。
【０００８】
電子書籍端末の多くは、自機に保存されている各コンテンツのサムネイルを一覧表示し、サムネイルの一覧の中からユーザが選択したサムネイルに対応する電子出版コンテンツを再生する機能を備えている。
【０００９】
電子書籍端末の中には、単行本の各コンテンツのサムネイルとともにシリーズものの書籍コンテンツに関するフォルダを表示するものが存在する。具体的には、電子書籍端末は、シリーズものの書籍コンテンツについてはコンテンツ毎にサムネイルを表示する代わりにシリーズ毎にフォルダを表示する。そして、ユーザがフォルダを指定した場合に、指定されたフォルダに含まれる該当シリーズの各コンテンツのサムネイルを初めて表示するようになっている。
【００１０】
この電子書籍端末のユーザは、シリーズものの書籍コンテンツの閲覧を所望する場合には、該当シリーズのフォルダを選択し、さらに、該当シリーズのコンテンツのサムネイル一覧から所望のコンテンツのサムネイルを見つけて選択することになる。一方、単行本のコンテンツの閲覧を所望する場合、ユーザは、単行本のコンテンツのサムネイル一覧から所望のコンテンツのサムネイルを見つけ出して選択することになる。したがって、いずれのコンテンツの閲覧を所望する場合にも、ユーザは、全コンテンツのサムネイル一覧から所望のコンテンツのサムネイルを見つけ出すよりは容易にサムネイルを見つけ出すことができる。
【００１１】
しかしながら、上記従来の構成には、依然として、所望のコンテンツのサムネイルを見つけ出すのが難しいという問題がある。
【００１２】
本発明は、上記課題に鑑みて成されたものであり、その主な目的は、閲覧を所望するコンテンツを再生するためのオブジェクトを従来よりも容易にユーザに見つけ出させることが可能な表示制御装置を実現することにある。
【課題を解決するための手段】
【００１３】
本発明に係る表示制御装置は、上記課題を解決するために、コンテンツ再生用のオブジェクトである第１オブジェクトの表示対象であって同一のシリーズ情報を有する全コンテンツの中から、コンテンツをひとつ選択する選択手段と、上記選択手段が選択したコンテンツと、上記表示対象であって上記シリーズ情報を含んでいないコンテンツとに関し、各コンテンツの属性値を少なくとも含む複数の要素をソートする第１整列手段と、
上記シリーズ情報を有さないコンテンツを再生するための第１オブジェクトと、上記同一のシリーズ情報を有する各コンテンツの第１オブジェクトを表示させるためのオブジェクトであって上記選択手段が選択したコンテンツを表すオブジェクトでもある第２オブジェクトと、を異なる態様で表示部に表示する第１の表示制御手段であって、第１整列手段により相対的に先頭の近くに配置される属性値を持つコンテンツのオブジェクトがより先頭側に配置される並び順で、第１オブジェクトと第２オブジェクトとを表示する第１の表示制御手段と、を備えている、ことを特徴としている。
【００１４】
上記の構成によれば、本発明に係る表示制御装置は、閲覧を所望するコンテンツを再生するための第１オブジェクトを従来よりも容易にユーザに見つけ出させることが可能であるという効果を奏する。
【００１５】
本発明に係る表示制御装置は、上記課題を解決するために、コンテンツ再生用のオブジェクトである第１オブジェクトの表示対象であってシリーズ情報を有する全コンテンツを、同一のシリーズ情報を有するコンテンツ毎のグループに分類する分類手段と、コンテンツが分類された各グループに関し、該グループに分類された１つ以上のコンテンツの中からコンテンツをひとつ選択する選択手段と、上記選択手段が選択した各コンテンツの属性値を少なくとも含む複数の要素をソートする第１整列手段と、上記各グループについて、該グループに分類された各コンテンツの第１オブジェクトを表示させるためのオブジェクトであって上記選択手段が該グループに分類された１つ以上のコンテンツの中から選択したコンテンツを表すオブジェクトでもある第２オブジェクトを第１オブジェクトとは異なる態様で表示部に表示する第１の表示制御手段であって、第１整列手段により相対的に先頭の近くに配置される属性値を持つコンテンツの第２オブジェクトがより先頭側に配置される並び順で、各グループの第２オブジェクトを表示する第１の表示制御手段と、を備えている、ことを特徴としている。
【００１６】
上記の構成によっても、本発明に係る表示制御装置は、閲覧を所望するコンテンツを再生するためのオブジェクトを従来よりも容易にユーザに見つけ出させることが可能であるという効果を奏する。
【００１７】
本発明に係る表示制御方法は、上記課題を解決するために、コンテンツ再生用のオブジェクトである第１オブジェクトの表示対象であって同一のシリーズ情報を有する全コンテンツの中から、コンテンツをひとつ選択する選択工程と、上記選択工程にて選択されたコンテンツと、上記表示対象であって上記シリーズ情報を含んでいないコンテンツとに関し、各コンテンツの属性値を少なくとも含む複数の要素をソートする整列工程と、上記シリーズ情報を有さないコンテンツを再生するための第１オブジェクトと、上記同一のシリーズ情報を有する各コンテンツの第１オブジェクトを表示させるためのオブジェクトであって上記選択工程にて選択されたコンテンツを表すオブジェクトでもある第２オブジェクトと、を異なる態様で表示部に表示する表示制御工程であって、上記整列工程にて相対的に先頭の近くに配置される属性値を持つコンテンツのオブジェクトがより先頭側に配置される並び順で、第１オブジェクトと第２オブジェクトとを表示する表示制御工程と、を含んでいる、ことを特徴としている。
【００１８】
上記の構成によれば、本発明に係る表示制御方法は、本発明に係る表示制御装置と同様の作用効果を奏する。
【００１９】
本発明に係る表示制御方法は、上記課題を解決するために、コンテンツ再生用のオブジェクトである第１オブジェクトの表示対象であってシリーズ情報を有する全コンテンツを、同一のシリーズ情報を有するコンテンツ毎のグループに分類する分類工程と、コンテンツが分類された各グループに関し、該グループに分類された１つ以上のコンテンツの中からコンテンツをひとつ選択する選択工程と、上記選択工程にて選択された各コンテンツの属性値を少なくとも含む複数の要素をソートする整列工程と、上記各グループについて、該グループに分類された各コンテンツの第１オブジェクトを表示させるためのオブジェクトであって該グループに分類された１つ以上のコンテンツの中から上記選択工程にて選択されたコンテンツを表すオブジェクトでもある第２オブジェクトを第１オブジェクトとは異なる態様で表示部に表示する表示制御工程であって、上記整列工程にて相対的に先頭の近くに配置される属性値を持つコンテンツの第２オブジェクトがより先頭側に配置される並び順で、各グループの第２オブジェクトを表示する表示制御工程と、を含んでいる、ことを特徴としている。
【００２０】
本発明に係る表示制御装置は、上記各コンテンツの属性値である第１属性値と、第１属性値とは属性の種類が異なる第２属性値と、を含む上記全コンテンツの属性情報を、第１属性値をキーとしてソートする第２整列手段と、第２属性値をキーとして、上記同一のシリーズ情報を有する各コンテンツの上記属性情報をソートする第３整列手段と、ユーザにより第２オブジェクトが指定されると、指定された第２オブジェクトに応じた各コンテンツの第１オブジェクトを、第３整列手段により相対的に先頭の近くに配置される属性情報を持つコンテンツの第１オブジェクトがより先頭側に配置される並び順で表示する第２の表示制御手段と、を更に備え、上記選択手段は、上記全コンテンツの中から、第２整列手段により先頭に配置される属性情報を持つコンテンツを選択するように構成されている、ことが望ましい。
【００２１】
本発明に係る表示制御装置は、上記各コンテンツの属性値である第１属性値と、第１属性値とは属性の種類が異なる第２属性値とを含む上記全コンテンツの属性情報を、第１属性値または第２属性値をキーとしてソートする第２整列手段と、ユーザにより第２オブジェクトが指定されると、指定された第２オブジェクトに応じた各コンテンツの第１オブジェクトを、第２整列手段により相対的に先頭の近くに配置される属性情報を持つコンテンツの第１オブジェクトがより先頭側に配置される並び順で表示する第２の表示制御手段と、を更に備え、上記選択手段は、上記全コンテンツの中から、第２整列手段により先頭に配置される属性情報を持つコンテンツを選択するように構成されている、ことが望ましい。
【００２２】
本発明に係る表示制御装置は、上記各グループに関し、該グループに分類された各コンテンツの属性情報であって、上記各コンテンツの属性値である第１属性値と、第１属性値とは属性の種類が異なる第２属性値と、を含む属性情報を、第１属性値をキーとしてソートする第２整列手段と、第２属性値をキーとして、上記各グループに関し、該グループに分類された各コンテンツの上記属性情報をソートする第３整列手段と、ユーザにより第２オブジェクトが指定されると、第３整列手段により相対的に先頭の近くに配置される属性情報を持つコンテンツの第１オブジェクトがより先頭側に配置される並び順で、指定された第２オブジェクトに応じた各コンテンツの第１オブジェクトを表示する第２の表示制御手段と、を更に備え、上記選択手段は、上記各グループに関し、該グループに分類された１つ以上のコンテンツの中から、第２整列手段により先頭に配置される属性情報を持つコンテンツを選択するように構成されている、ことが望ましい。
【００２３】
本発明に係る表示制御装置は、上記各グループに関し、該グループに分類された各コンテンツの属性情報であって、上記各コンテンツの属性値である第１属性値と、第１属性値とは属性の種類が異なる第２属性値と、を含む属性情報を、第１属性値または第２属性値をキーとしてソートする第２整列手段と、ユーザにより第２オブジェクトが指定されると、第２整列手段により相対的に先頭の近くに配置される属性情報を持つコンテンツの第１オブジェクトがより先頭側に配置される並び順で、指定された第２オブジェクトに応じた各コンテンツの第１オブジェクトを表示する第２の表示制御手段と、を更に備え、上記選択手段は、上記各グループに関し、該グループに分類された１つ以上のコンテンツの中から、第２整列手段により先頭に配置される属性情報を持つコンテンツを選択するように構成されている、ことが望ましい。
【００２４】
本発明に係る表示制御装置は、上記第３整列手段が、上記シリーズ情報を有する各コンテンツの号、巻または刊行日のいずれかをキーとして昇順で各コンテンツの上記属性情報をソートするように構成されている、ことが望ましい。
【００２５】
上記の構成によれば、本発明に係る表示制御装置は、上記シリーズ情報を有するコンテンツのサムネイルをコンテンツ再生用のサムネイルと異なる表示態様で表示し、ユーザが上記サムネイルを指定すると、当該シリーズ情報を有する各コンテンツのサムネイルを、コンテンツの号数あるいは巻数が小さい順に、または、刊行日の古い順に、並べて表示する。
【００２６】
したがって、本発明に係る表示制御装置は、あるシリーズのコンテンツを初めて読もうとするユーザ、および、あるシリーズのコンテンツを改めて最初から読み返そうとするユーザに、そのシリーズで読み始めるべき最初のコンテンツを再生するためのサムネイルを逸早く探し出させることができる。
【００２７】
本発明に係る表示制御装置は、上記第３整列手段が、上記シリーズ情報を有する各コンテンツの購入日時をキーとして降順で各コンテンツの上記属性情報をソートするように構成されている、ことが望ましい。
【００２８】
上記の構成によれば、本発明に係る表示制御装置は、上記シリーズ情報を有するコンテンツのサムネイルをコンテンツ再生用のサムネイルと異なる表示態様で表示し、ユーザが上記サムネイルを指定すると、当該シリーズ情報を有する各コンテンツのサムネイルを、コンテンツの購入日時の新しい順に並べて表示する。
【００２９】
したがって、本発明に係る表示制御装置は、コンテンツを購入したばかりでまだ読んでいないユーザに、そのコンテンツを再生するためのサムネイルを逸早く探し出させることができる。
【００３０】
本発明に係る表示制御装置は、上記第３整列手段が、上記シリーズ情報を有する各コンテンツのダウンロード日時をキーとして降順で各コンテンツの上記属性情報をソートするように構成されている、ことが望ましい。
【００３１】
上記の構成によれば、本発明に係る表示制御装置は、上記シリーズ情報を有するコンテンツのサムネイルをコンテンツ再生用のサムネイルと異なる表示態様で表示し、上記サムネイルを指定すると、当該シリーズ情報を有する各コンテンツのサムネイルを、コンテンツのダウンロード日時の新しい順に並べて表示する。
【００３２】
したがって、本発明に係る表示制御装置は、コンテンツをダウンロードしたばかりでまだ読んでいないユーザに、そのコンテンツを再生するためのサムネイルを逸早く探し出させることができる。
【００３３】
本発明に係る表示制御装置は、上記第２整列手段が、上記シリーズ情報を有する各コンテンツの号、巻または刊行日のいずれかをキーとして昇順で各コンテンツの上記属性情報をソートするように構成されている、ことが望ましい。
【００３４】
上記の構成によれば、本発明に係る表示制御装置は、上記シリーズ情報を有する各コンテンツの中で、号、巻または刊行日の最も古いコンテンツのサムネイルをコンテンツ再生用のサムネイルと異なる表示態様で表示し、ユーザが上記最も古いコンテンツのサムネイルを指定すると、そのコンテンツを再生するためのサムネイルが先頭に位置するように、当該シリーズ情報を有する各コンテンツのサムネイルを並べて表示する。
【００３５】
したがって、本発明に係る表示制御装置は、あるシリーズのコンテンツを初めて読もうとするユーザ、および、あるシリーズのコンテンツを改めて最初から読み返そうとするユーザに、そのシリーズで読み始めるべき最初のコンテンツを再生するためのサムネイルを逸早く探し出させることができる。
【００３６】
本発明に係る表示制御装置は、上記第２整列手段が、上記シリーズ情報を有する各コンテンツの購入日時をキーとして降順で各コンテンツの上記属性情報をソートするように構成されている、ことが望ましい。
【００３７】
上記の構成によれば、本発明に係る表示制御装置は、上記シリーズ情報を有する各コンテンツの中で、直近で購入したコンテンツのサムネイルをコンテンツ再生用のサムネイルと異なる表示態様で表示し、ユーザが上記直近で購入したコンテンツのサムネイルを指定すると、そのコンテンツを再生するためのサムネイルが先頭に配置されるように、当該シリーズ情報を有する各コンテンツのサムネイルを並べて表示する。
【００３８】
したがって、本発明に係る表示制御装置は、あるシリーズのコンテンツを購入したばかりでまだ読んでいないユーザに、そのコンテンツを再生するためのサムネイルを逸早く探し出させることができる。
【００３９】
本発明に係る表示制御装置は、上記第２整列手段が、上記シリーズ情報を有する各コンテンツのダウンロード日時をキーとして降順で各コンテンツの上記属性情報をソートするように構成されている、ことが望ましい。
【００４０】
上記の構成によれば、本発明に係る表示制御装置は、上記シリーズ情報を有する各コンテンツの中で、直近でダウンロードしたコンテンツのサムネイルをコンテンツ再生用のサムネイルと異なる表示態様で表示し、ユーザが上記直近でダウンロードしたコンテンツのサムネイルを指定すると、そのコンテンツを再生するためのサムネイルが先頭に位置するように、当該シリーズ情報を有する各コンテンツのサムネイルを並べて表示する。
【００４１】
したがって、本発明に係る表示制御装置は、あるシリーズのコンテンツをダウンロードしたばかりでまだ読んでいないユーザに、そのコンテンツを再生するためのサムネイルを逸早く探し出させることができる。
【００４２】
本発明に係る表示制御装置は、上記第１オブジェクトが、上記第１オブジェクトの表示対象であるコンテンツのサムネイルである、ことが望ましい。また、本発明に係る表示制御装置は、上記コンテンツの第２オブジェクトが、上記コンテンツのサムネイルが付されたフォルダである、ことが望ましい。
【００４３】
また、本発明に係る表示制御装置としてコンピュータを動作させるためのプログラムであって、コンピュータを上記の各手段として機能させることを特徴とするプログラム、および、そのプログラムを記録した、コンピュータが読み取り可能な記録媒体も本発明の範疇に含まれる。
【発明の効果】
【００４４】
以上のように、本発明に係る表示制御装置は、閲覧を所望するコンテンツを再生するためのオブジェクトを従来よりも容易にユーザに見つけ出させることができるという効果を奏する。
【図面の簡単な説明】
【００４５】
【図１】図１は、本発明の一実施形態に係る電子書籍端末の構成を示すブロック図である。
【図２】図２は、図１の電子書籍端末を用いてユーザが注文したコンテンツ毎に付帯する付帯情報をテーブル形式で例示した図である。
【図３】図１の電子書籍端末が２階層で構成される電子本棚画面のうち第１階層の電子本棚画面を表示する動作を示すフローチャートである。
【図４】図４は、図１の電子書籍端末が第１階層の電子本棚画面の表示処理に用いるソート済み属性値リストを示した図である。
【図５】図５は、図１の電子書籍端末に表示される第１階層の電子本棚画面を模式的に例示した図である。
【図６】図６は、図１の電子書籍端末に表示される第２階層の電子本棚画面を模式的に例示した図である。
【図７】図７は、図１の電子書籍端末に表示される第２階層の電子本棚画面を模式的に例示した図である。
【図８】図８は、図１の電子書籍端末に表示される電子出版コンテンツのある１頁を示したイメージ図である。
【図９】第１階層の電子本棚画面内に表示されるフォルダの変形例を示した図である。
【図１０】図１０は、本発明の別の一実施形態に係る電子書籍端末の構成を示すブロック図である。
【図１１】図１１は、図１の電子書籍端末が第１階層の電子本棚画面の変形例に係る表示処理に用いるソート済み属性値リストを示した図である。
【図１２】図１２は、図１の電子書籍端末に表示される第１階層の電子本棚画面を模式的に例示した図である。
【図１３】図１３は、図１の電子書籍端末に表示される第１階層の電子本棚画面を模式的に例示した別の図である。
【図１４】図１４は、図１の電子書籍端末に表示される第２階層の電子本棚画面を模式的に例示した別の図である。
【図１５】図１５は、図１の電子書籍端末に表示される第２階層の電子本棚画面を模式的に例示した別の図である。
【図１６】図１６は、図１の電子書籍端末が第１階層の電子本棚画面の表示処理に用いるソート済み属性値リストを例示した別の図である。
【図１７】図１７は、図１の電子書籍端末に表示される第１階層の電子本棚画面を模式的に例示した別の図である。
【図１８】図１８は、図１の電子書籍端末に表示される第２階層の電子本棚画面を模式的に例示した別の図である。
【図１９】図１９は、図１の電子書籍端末に表示される第２階層の電子本棚画面を模式的に例示した別の図である。
【図２０】図２０は、図１の電子書籍端末が第１階層の電子本棚画面の表示処理に用いるソート済み属性値リストを例示した別の図である。
【図２１】図２１は、図１の電子書籍端末に表示される第１階層の電子本棚画面を模式的に例示した別の図である。
【図２２】図２２は、図１の電子書籍端末に表示される第２階層の電子本棚画面を模式的に例示した別の図である。
【図２３】図２３は、図１の電子書籍端末に表示される第２階層の電子本棚画面を模式的に例示した別の図である。
【発明を実施するための形態】
【００４６】
本発明の一実施形態に係る電子書籍端末（表示制御装置）について、図面を参照しながら以下に説明する。
【００４７】
本実施形態に係る電子書籍端末は、ユーザが注文した電子出版物をオンライン書籍ストアからネットワークを通じてダウンロードするように構成されている。
【００４８】
また、本実施形態に係る電子書籍端末は、第１階層と第２階層とから構成される２階層の電子本棚画面を表示する機能を備えている。電子本棚画面は、ユーザが注文した電子出版コンテンツのサムネイル（典型的には、書籍コンテンツおよび雑誌コンテンツの表表紙の縮小画像、新聞コンテンツの第１面の縮小画像や日付/朝刊・夕刊を示す文字入りの各新聞の専用画像）が表示される画面である。
【００４９】
電子書籍端末が表示する第１階層の電子本棚画面の種類としては、まだ読んでいない本、新聞、雑誌、およびお勧めの本、雑誌のサムネイルの一覧が示される「未読・おすすめ」画面、最近読んだ本のサムネイルの一覧が示される「最近読んだ本」画面等が挙げられる。なお、「未読・おすすめ」画面は、ユーザが購入したコンテンツのサムネイルが表示される領域とストアからのお勧めコンテンツのサムネイルが表示される領域とに区分されていてもよい。
【００５０】
第１階層の電子本棚画面には、単行出版物のサムネイルの他、シリーズものの書籍、新聞や雑誌等といった継続的刊行物のフォルダも表示される。フォルダは、継続的に刊行される一連の刊行物（以下、単に「一連の刊行物」と称する）毎に個別に表示される。例えば、シリーズものの書籍のフォルダはシリーズ毎に個別に表示される。なお、一連の刊行物は、最新刊およびその全バックナンバーから構成される刊行物の集合とも言い換えることができる。なお、シリーズものの書籍の中には、一巻ずつ逐次的に発売（刊行）されるものばかりではなく、全巻または一部の巻が同時に発売されるものもある。このような書籍についても、シリーズものの書籍のフォルダが表示される。また、本実施形態に係る電子書籍端末は、後述する付帯情報内の属性「巻数」の属性値を比較することにより、各書籍コンテンツの新旧を、逐次的に刊行されたものであるか、同時に刊行されたものであるかに関わらず判断できるようになっている。
【００５１】
本実施形態に係る電子書籍端末は、ユーザによりフォルダが指定されると、そのフォルダに対応する各継続的刊行物のサムネイルの一覧が示された第２階層の電子本棚画面を表示するように構成されている。
【００５２】
本実施形態に係る電子書籍端末は、第１階層の電子本棚画面でのサムネイルおよびフォルダの表示の仕方、および、第２階層の電子本棚画面でのサムネイルの表示の仕方に特徴があるので、それらの特徴を中心に説明していくことにする。
【００５３】
＜電子書籍端末１００の構成＞
電子書籍端末１００の構成について、図１および図２を参照して説明する。図１は電子書籍端末１００の構成を示すブロック図であり、図２はユーザが注文したコンテンツ毎に付帯する付帯情報をテーブル形式で例示した図である。図１に示すように、電子書籍端末１００は、コンテンツ取得部１１０、コンテンツ記憶部１２０、コンテンツ付帯情報取得部１３０、表示制御部１４０、入力部１５０および表示部１６０を備えている。
【００５４】
（コンテンツ取得部１１０）
コンテンツ取得部１１０は、ネットワーク２００を通じて、オンライン書籍ストア（コンテンツ配信サーバ３００）から、ユーザが注文した電子出版物コンテンツをその付帯情報とともにダウンロードする。
【００５５】
（コンテンツ記憶部１２０）
コンテンツ記憶部１２０は、コンテンツ取得部１１０がダウンロードした電子出版コンテンツとその付帯情報とが関連づけて固定的に記憶されるストレージである。
【００５６】
（コンテンツ付帯情報取得部１３０）
コンテンツ付帯情報取得部１３０は、コンテンツ記憶部１２０に記録されている各電子出版コンテンツの付帯情報を表示制御部１４０に供給する。
【００５７】
（表示制御部１４０）
表示制御部１４０は、コンテンツ記憶部１２０に記録されている電子出版コンテンツおおよびその付帯情報に基づいて、表示部１６０の表示を制御する。表示制御部１４０は、電子本棚表示制御部１４１およびコンテンツ表示処理部１４２を備えている。
【００５８】
電子本棚表示制御部１４１は、コンテンツ付帯情報取得部１３０から供給された各コンテンツの付帯情報を参照し、コンテンツ記憶部１２０に記録されたコンテンツの中から電子本棚画面にサムネイルを表示すべきコンテンツを選択する。例えば、電子本棚表示制御部１４１は、図２の付帯情報内の「最終購読日」を参照し、「最近読んだ本」画面にサムネイルを表示すべきコンテンツとして、「最終購読日」が「最近読んだ本」の基準を満たす電子出版コンテンツを選択する。
【００５９】
また、電子本棚表示制御部１４１は、各コンテンツの付帯情報に基づいて、第１階層の電子本棚画面で表示するオブジェクト（サムネイルおよびフォルダからなるオブジェクト）の一覧の並び順、および、第１階層の電子本棚画面で表示するサムネイルの一覧の並び順を決定する。
【００６０】
コンテンツ表示処理部１４２は、電子本棚画面に表示されているサムネイルをユーザが指定したことをトリガとして、指定されたサムネイルに対応する電子出版コンテンツを再生し、表示部１６０に表示する。
【００６１】
（入力部１５０）
入力部１５０は、ユーザからの操作指示を受け付ける入力デバイスである。
【００６２】
（表示部１６０）
表示部１６０は、各種電子本棚画面、および、再生対象の電子出版コンテンツが表示されるディスプレイである。
【００６３】
なお、電子書籍端末１００は、入力部１５０と表示部１６０とを個別に備えていてもよいが、入力部１５０と表示部１６０との両者の役割を担うタッチパネルディスプレイを備えていることが望ましい。
【００６４】
＜付帯情報について＞
電子書籍端末１００の動作について説明する前に、付帯情報について少し触れておく。
【００６５】
図２に示したように、付帯情報は「コンテンツＩＤ」「サムネイル画像」等といった３３種類の属性で構成されているが、コンテンツの付帯情報には必ずしも３３個の属性値が含まれているわけではない。
【００６６】
例えば、シリーズものの書籍コンテンツの付帯情報には「巻数」を示す属性値が含まれているが、その他のコンテンツの付帯情報には「巻数」を示す属性値は含まれていない。また、継続的刊行物に該当するコンテンツの付帯情報には「シリーズＩＤ」「シリーズ名」および「シリーズ名（カナ）」の各属性値が含まれているが、単行出版物に該当するコンテンツの付帯情報には、「シリーズＩＤ」「シリーズ名」および「シリーズ名（カナ）」の各属性値は含まれていない。なお、新聞および雑誌の「シリーズ名」の属性値として、その新聞および雑誌のタイトルを示す文字列が付与されている。
【００６７】
本実施形態に係る電子書籍端末１００は、コンテンツの付帯情報内に「シリーズ名」および「シリーズ名（カナ）」の各属性値が含まれているか否かを確認することにより、そのコンテンツが、単行出版物に該当するコンテンツであるか、あるいは、継続的刊行物（シリーズものの書籍、新聞または雑誌）に該当するコンテンツであるか、を判定するように構成されている。また、電子書籍端末１００は、継続的刊行物に該当すると判定したコンテンツの付帯情報内の「巻数」の属性値の大小により、コンテンツの新旧を判定するように構成されている。また、電子書籍端末１００は、コンテンツの付帯情報に「巻数」の情報が含まれていない場合には、「販売開始日」や「購入日時」によってコンテンツの新旧を判定することが可能である。このように、シリーズものの書籍（例えば、漫画）や、定期購読の新聞や雑誌などのグループを表す情報を「シリーズ情報」といい、コンテンツの付帯情報では「シリーズＩＤ」「シリーズ名」及び「シリーズ名（カナ）」が「シリーズ情報」に該当する。
【００６８】
なお、電子書籍端末１００は、コンテンツの付帯情報内に「シリーズＩＤ」の属性値が含まれているか否かを確認することにより、そのコンテンツが、単行出版物に該当するコンテンツであるか、あるいは、継続的刊行物に該当するコンテンツであるか、を判定するように構成されていてもよい。
【００６９】
＜電子書籍端末１００の動作＞
次に、入力部１５０を介してユーザから第１階層の電子本棚画面を表示させる操作指示を受け付けた場合における電子書籍端末１００の動作について図３〜図８を参照しながら説明する。図３は電子書籍端末１００の動作を示すフローチャートであり、図４は後述するソート済み属性値リストを例示した図である。なお、以下では、「未読・おすすめ」画面において、「漫画ガラパモン」シリーズの書籍（第３巻〜第６巻）、雑誌「週刊シャープ」（２／６号、１／３０号、１／２４号および１／１６号）、雑誌「月刊ＰＣ活用術」の１１月号、並びに、単行本「もしガラパゴスが・・・」および「ボーナス活用術」の計１１個のコンテンツがサムネイル表示の対象となる例を交えながら、電子書籍端末１００の動作を説明する。なお、この例については、ユーザが１１個のコンテンツの各々を発売日に購入した前提のもとで説明を行うものとする。
【００７０】
最初に、電子本棚表示制御部１４１は、コンテンツ記憶部１２０に記録されている全コンテンツの付帯情報を、コンテンツ付帯情報取得部１３０を介して取得し、サムネイル表示対象として選択した各コンテンツ（以下、「サムネイル表示対象のコンテンツ」を単に「対象コンテンツ」とも称する）に関する一連の属性値（具体的には、タイトル、シリーズ名、巻数、発売日および購入日時であり、特許請求の範囲の「第１属性値」または「第２属性値」に対応）を対象とするソート処理を行うことで、ソート済み属性値リストを作成する（Ｓ１：特許請求の範囲の「整列工程」に対応）。具体的には、電子本棚表示制御部１４１は、表示しようとする電子本棚画面が「未読・おすすめ」画面である場合には各対象コンテンツの「購入日時」をキーとして降順でソートし、表示する電子本棚画面が「最近読んだ本」画面である場合には各対象コンテンツの「最終購読日」をキーとして降順でソートする。ここで、ソート済み属性値リストとは、ソート対象の一連の属性値がソート順に並んだリストである。また、対象コンテンツとは、例えば「未読・おすすめ」画面では、ユーザが未読のコンテンツを指す。
【００７１】
例えば、前述の１１個のコンテンツがサムネイル表示の対象である場合、電子本棚表示制御部１４１は、図４（ａ）の１１個の要素（特許請求の範囲の「複数の要素」に対応）からなるソート済み属性値リストを作成する。
【００７２】
Ｓ１の処理の後、電子本棚表示制御部１４１は、全対象コンテンツの中から、付帯情報の「シリーズ名」および「シリーズ名（カナ）」が同一であるような２以上のコンテンツを漏れなく抽出する（Ｓ２）。具体的には、継続的刊行物に該当する全対象コンテンツの各々をシリーズ毎（シリーズものの書籍の場合）またはタイトル毎（新聞または雑誌の場合）にグルーピングし、２以上の対象コンテンツを含む各グループについて、グループに属する各対象コンテンツを漏れなく抽出する（Ｓ２：特許請求の範囲の「分類工程」に対応）。
【００７３】
前述の例では、電子本棚表示制御部１４１は、「漫画ガラパモン」シリーズの３巻〜６巻、並びに、「週刊シャープ」の２／６号、１／３０号、１／２４号および１／１６号の計８つのコンテンツを抽出する。
【００７４】
Ｓ２の処理の後、電子本棚表示制御部１４１は、Ｓ２で抽出された全対象コンテンツの中からグループ毎に代表コンテンツを決定する（Ｓ３：特許請求の範囲の「選択工程」に対応）。具体的には、電子本棚表示制御部１４１は、「シリーズ名」および「シリーズ名（カナ）」が同一である一群のコンテンツ毎に、一群のコンテンツを構成する各コンテンツの属性値をキーとして各コンテンツの付帯情報（特許請求の範囲の「属性情報」に対応）をソートした結果ソート順で付帯情報が先頭に来るコンテンツを、代表コンテンツとして決定する。
【００７５】
より具体的には、電子本棚表示制御部１４１は、表示しようとする電子本棚画面が「未読・おすすめ」画面である場合には、「シリーズ名」および「シリーズ名（カナ）」が同一である各対象コンテンツの「購入日時」または「ダウンロード日時」をキーとして降順で各コンテンツの付帯情報をソートし、表示しようとする電子本棚画面が「最近読んだ本」画面である場合には、「シリーズ名」および「シリーズ名（カナ）」が同一である各対象コンテンツの「最終購読日」をキーとして降順で各コンテンツの付帯情報をソートする。そして、電子本棚表示制御部１４１は、ソートで付帯情報が先頭に来るコンテンツを代表コンテンツとして決定する。
【００７６】
前述の例では、電子本棚表示制御部１４１は、購入日時が現在時刻に最も近い書籍コンテンツである「漫画ガラパモン」の第６巻、および、購入日時が現在時刻に最も近い「週刊シャープ」の２／６号を代表コンテンツとして決定する。
【００７７】
Ｓ３の処理の後、電子本棚表示制御部１４１は、ソート済み属性値リストを更新する（Ｓ４）。具体的には、電子本棚表示制御部１４１は、ソート済み属性値リストのうち、Ｓ３で代表コンテンツとして選択されたコンテンツの属性値にフォルダ表示指定フラグ「１」を関連付け、それ以外のコンテンツの属性値にフォルダ表示指定フラグ「０」を関連付ける。
【００７８】
前述の例では、「漫画ガラパモン」の第６巻の購入日時を示すソート済み属性値リストの先頭から４番目の要素、および、「週刊シャープ」の２／６号の購入日時を示すソート済み属性値リストの先頭の要素にフォルダ表示指定フラグ「１」を関連付け、それ以外の９つの要素にフォルダ表示指定フラグ「０」を関連付ける。その結果、図４（ａ）のソート済み属性値リストは、図４（ｂ）に示したような、属性値とフォルダ表示指定フラグとで構成される要素を１１個含むリストに更新される。
【００７９】
Ｓ４の処理の後、電子本棚表示制御部１４１は、Ｓ２で抽出された各コンテンツの中でＳ３で代表コンテンツとして選択されなかったコンテンツに関する要素をソート済み属性値リストから削除する（Ｓ５）。なお、ソート済み属性値リストの作成処理や手順はこれに限られず、最終的に、コンテンツ単位で表示するもの、フォルダ単位で表示するもの、および代表コンテンツの情報が取得できれば良い。
【００８０】
前述の例では、電子本棚表示制御部１４１は、「漫画ガラパモン」の第３〜５巻の各要素（図４（ｂ）のソート済み属性値リストの先頭から１１番目、１０番目および７番目の要素）、並びに、「週刊シャープ」の１／３０号、１／２６号および１／２０号の各要素（図４（ｂ）のソート済み属性値リストの先頭から２番目、３番目および５番目の要素）を削除する。その結果、図４（ｂ）のソート済み属性値リストは、図４（ｃ）に示すように更新される。
【００８１】
Ｓ６において、電子本棚表示制御部１４１は、ソート済み属性値リストの先頭からｉ番目の要素（直前のステップがＳ５の場合、先頭の要素）にフォルダ表示指定フラグ「１」が含まれているか（すなわち、先頭からｉ番目の属性値にフォルダ表示指定フラグ「１」が関連付けられているか）否かを判定する。
【００８２】
Ｓ６において、先頭からｉ番目の属性値にフォルダ表示指定フラグ「１」が関連付けられていないと判定された場合（Ｓ６においてＮＯ）、電子本棚表示制御部１４１は、付帯情報の「購入日時」がｉ番目の属性値に一致するコンテンツの再生用サムネイル（特許請求の範囲の「第１オブジェクト」に対応）を表示する（Ｓ７：特許請求の範囲の「表示制御工程」に対応）。具体的には、コンテンツ記憶部１２０に記録されている、コンテンツに対応するサムネイル画像（コンテンツの付帯情報を構成する属性「サムネイル画像」）を読み出し、電子本棚内の所定の並び順でｉ番目の位置に、読み出したサムネイル画像（再生用サムネイル）を表示する。なお、電子本棚表示制御部１４１は、コンテンツデータから再生用サムネイルを作成するように構成されていてもよい。
【００８３】
前述の例では、購入日時が「2012/01/15 14:28:15」であるような付帯情報を持つ単行本「もしガラパゴスが・・」のサムネイルを英文の書字方向に沿った並び順で３番目の位置に表示し、購入日時が「2012/12/10 09:15:23」であるような付帯情報を持つ単行本「ボーナス活用術」のサムネイルを４番目の位置に表示し、購入日時が「2012/11/23 12:22:23」であるような付帯情報を持つ雑誌「月刊ＰＣ活用術」１１月号のサムネイルを５番目の位置に表示する。
【００８４】
一方、Ｓ６において、先頭からｉ番目の属性値にフォルダ表示指定フラグ「１」が関連付けられていると判定された場合（Ｓ６においてＹＥＳ）、電子本棚表示制御部１４１は、付帯情報の「購入日時」がｉ番目の属性値に一致するコンテンツ（代表コンテンツ）のサムネイルが付されたフォルダ（特許請求の範囲の「第２オブジェクト」に対応）を表示する（Ｓ８：特許請求の範囲の「表示制御工程」に対応）。具体的には、コンテンツ記憶部１２０に記録されているコンテンツに対応するサムネイル画像を読み出し、電子本棚の所定の並び順でｉ番目の位置に、読み出したサムネイル画像を所定のフォルダオブジェクトの上に重ねて（特許請求の範囲の「異なる態様」に対応）表示する。
【００８５】
前述の例では、購入日時が「2012/02/26 17:32:28」であるような付帯情報を持つ雑誌「週刊シャープ」２／６号のサムネイルを英文の書字方向に沿った並び順で先頭の位置に表示し、購入日時が「2012/01/20 11:10:42」であるような付帯情報を持つ書籍「漫画ガラパモン」６巻のサムネイルが付されたフォルダを２番目の位置に表示する。
【００８６】
Ｓ９において、電子本棚表示制御部１４１は、ｉの値がサムネイル表示数の所定の上限値に達したか否かを判定する。上限値に達したと判定した場合（Ｓ９においてＹＥＳ）、電子本棚表示制御部１４１は、第１階層の電子本棚画面の表示処理を完了させる。なお、本実施形態では、この上限値が「１００」に設定されている。
【００８７】
一方、まだ上限値に達していないと判定した場合（Ｓ９においてＮＯ）、Ｓ１０に進む。
【００８８】
Ｓ１０において、電子本棚表示制御部１４１は、ｉの値がソート済み属性値リストの要素数に達したか否かを判定する（Ｓ１０）。前述の例では、電子本棚表示制御部１４１は、ｉの値が５になったか否かを判定する。ｉの値がソート済み属性値リストの要素数に達したと判定した場合（Ｓ１０においてＹＥＳ）、電子本棚表示制御部１４１は、第１階層の電子本棚画面の表示処理を完了させる。
【００８９】
一方、ｉの値がソート済み属性値リストの要素数に達していないと判定した場合（Ｓ１０においてＹＥＳ）、電子本棚表示制御部１４１は、ｉの値に１を加算して（Ｓ１１）、Ｓ６の処理に戻る。
【００９０】
以上、電子書籍端末１００が第１階層の電子本棚画面を表示させる動作について説明したが、前述の例では、この動作により、図５に示すような電子本棚画面が表示部１６０に表示されることになる。
【００９１】
また、以上の説明からわかるように、同一シリーズの書籍コンテンツや同一タイトルの定期刊行物に該当するコンテンツ（新聞コンテンツや雑誌コンテンツ等）といった一連の刊行物の中に対象コンテンツがただ１つしか存在しない場合、その対象コンテンツを再生するための再生用サムネイル５ｔが第１階層の電子本棚画面内に表示されることになる。図５の例では、雑誌「月刊ＰＣ活用術」１１月号がそのような対象コンテンツに該当する。
【００９２】
また、一連の刊行物の中に対象コンテンツが複数存在する場合、複数の対象コンテンツの中から選択された代表コンテンツのサムネイルが付されたフォルダ５ｆが、第１階層の電子本棚画面内に表示されることになる。前述の例では、図５に示すように、雑誌「週刊シャープ」２／６号のサムネイルが付されたフォルダ５ｆ、および、「漫画ガラパモン」第６巻のサムネイルが付されたフォルダ５ｆが、第１階層の電子本棚画面内に表示されることになる。
【００９３】
さらに、単行出版物に該当するコンテンツを再生するための再生用サムネイル５ｔも、第１階層の電子本棚画面内に表示されることになる。
【００９４】
（電子書籍端末１００が第２階層の電子本棚画面を表示する処理について）
電子書籍端末１００が入力部１５０を介してユーザからフォルダ５ｆ（特許請求の範囲の「第２オブジェクト」に対応）を指定する操作指示を受け付けると、電子本棚表示制御部１４１は、指定されたフォルダ５ｆにサムネイルが付されている代表コンテンツを含むＮ個の対象コンテンツの再生用サムネイル５ｔ（特許請求の範囲の「第１オブジェクト」に対応）を表示部１６０に表示する。
【００９５】
具体的には、電子本棚表示制御部１４１（特許請求の範囲の「第３整列手段」に対応）は、Ｎ個の対象コンテンツが書籍のコンテンツである場合には「巻数」をキーとして昇順で各書籍コンテンツの付帯情報をソートし、Ｎ個の対象コンテンツが新聞または雑誌のコンテンツである場合には「購入日時」または「ダウンロード日時」をキーとして降順で各コンテンツの付帯情報をソートする。そして、電子本棚表示制御部１４１（特許請求の範囲の「第２の表示制御手段」に対応）は、コンテンツ記憶部１２０に記録されているＮ個のコンテンツの各々について、コンテンツの付帯情報内のサムネイル画像を読み出し、各ｊ（ｊ＝１、２、・・、Ｎ）について、先頭からｊ番目にソートされた対象コンテンツのサムネイル画像（再生用サムネイル５ｔ）を電子本棚の所定の並び順でｊ番目の位置に表示する。
【００９６】
図５の電子本棚画面で左下に配置されたフォルダ５ｆが指定された場合、電子本棚表示制御部１４１は、第２階層の電子本棚画面として、図６に示すような電子本棚画面を表示部１６０に表示する。すなわち、電子本棚表示制御部１４１は、電子本棚内の英文の書字方向に沿った並び順で先頭の位置に「漫画ガラパモン」第３巻のサムネイル５ｔを表示し、２、３番目の位置にそれぞれ第４巻、第５巻のサムネイル５ｔを表示し、４番目の位置に代表コンテンツである第６巻のサムネイル５ｔを表示する。
【００９７】
また、図５の電子本棚画面で左上に配置されたフォルダ５ｆが指定された場合、電子本棚表示制御部１４１は、第２階層の電子本棚画面として、図７に示すような電子本棚画面を表示する。すなわち、電子本棚表示制御部１４１は、電子本棚内の英文の書字方向に沿った並び順で先頭の位置に代表コンテンツである「週刊シャープ」２／６号のサムネイル５ｔを表示し、２、３、４番目の位置にそれぞれ１／３０号、１／２３号、１／１６号のサムネイル５ｔを表示する。
【００９８】
図６からわかるように、電子書籍端末１００は、シリーズものの書籍については、同一シリーズの書籍の中で巻数が最も小さい（すなわち、最も古くに刊行された）書籍のサムネイルが電子本棚の左上（ユーザが最も目に留め易い位置）に配置されるように電子本棚画面を表示する。また、図７からわかるように、電子書籍端末１００は、雑誌（新聞も同様）については、同一タイトルの雑誌の中で号数が最も大きい（すなわち、最後に刊行された）雑誌（新聞）のサムネイルが電子本棚の左上に配置されるように電子本棚画面を表示することになる。
【００９９】
なお、電子書籍端末１００がユーザから再生用サムネイル５ｔを指定する操作指示を受け付けると、コンテンツ表示処理部１４２は、その再生用サムネイル５ｔに対応するコンテンツをコンテンツ記憶部１２０から読み出して再生し、そのコンテンツを表示部１６０に表示する。その結果、そのコンテンツの表紙ページ、または、図８に例示されているようなコンテンツ中の１ページが表示部１６０に表示されることになる。
【０１００】
（電子書籍端末１００の利点１）
以上のように、電子書籍端末１００の電子本棚表示制御部１４１は、再生用サムネイル５ｔの表示対象であって継続的刊行物に該当する各コンテンツを、一連の刊行物毎に個別に規定されたグループに分類する。電子本棚表示制御部１４１は、各グループについて、そのグループにただ１つのコンテンツが分類された場合に該コンテンツの再生用サムネイル５ｔを第１階層の電子本棚画面に表示し、そのグループに複数のコンテンツが分類された場合にその複数のコンテンツに共通するタイトルが示されたフォルダ５ｆを第１階層の電子本棚画面に表示する。
【０１０１】
電子本棚表示制御部１４１は、ユーザによりフォルダ５ｆが指定されたことをトリガとしてフォルダ５ｆに示されたタイトルを持つ各コンテンツのサムネイルを第２階層の電子本棚画面に表示する。
【０１０２】
上記の構成によれば、一連の刊行物を構成する複数の対象コンテンツの各再生用サムネイル５ｔは、その複数の対象コンテンツに共通するタイトルを持つフォルダ５ｆをユーザが指定したことをトリガとして表示部１６０に表示される。換言すれば、フォルダ５ｆをユーザが指定するまでは、単行出版物に該当する対象コンテンツの再生用サムネイル５ｔ、および、一連の刊行物の中でただ１つサムネイル表示の対象となっている対象コンテンツのサムネイル５ｔしか表示部１６０に表示されない。
【０１０３】
したがって、電子書籍端末１００は、全対象コンテンツのサムネイル一覧から所望のコンテンツのサムネイルを見つけ出す手間よりも少ない手間（従来と同様の手間）で所望のコンテンツのサムネイルをユーザに見つけ出させることができる。
【０１０４】
また、電子書籍端末１００は、一連の刊行物の中でただ１つサムネイル表示の対象となったコンテンツについてはその再生用サムネイル５ｔを第１階層の電子本棚画面内に表示する。すなわち、電子書籍端末１００は、そのようなコンテンツの閲覧を所望するユーザに、「フォルダ５ｆを指定して第２階層の電子本棚画面を表示させ、さらに、電子本棚内にただ１つ表示された再生用サムネイル５ｔを指定する」という無駄な手間をとらせずに、所望のコンテンツを閲覧させることができる。
【０１０５】
以上のように、電子書籍端末１００は、コンテンツの閲覧のために無駄に２回の選択操作を行う手間をかけさせることなく、尚且つ、従来と同様の容易さで所望のコンテンツのサムネイルをユーザに見つけ出させることできる。
【０１０６】
（電子書籍端末１００の利点２）
また、以上のように、電子書籍端末１００の電子本棚表示制御部１４１は、第２階層の電子本棚画面での再生用サムネイル５ｔの表示対象である同一シリーズの全書籍コンテンツの巻数を対象として昇順でソート処理を行う。同様に、電子本棚表示制御部１４１は、第２階層の電子本棚画面での再生用サムネイル５ｔの表示対象である同一タイトルの全雑誌コンテンツの購入日時を降順でソートする。
【０１０７】
電子本棚表示制御部１４１は、ソート処理の対象となった全書籍コンテンツの中で最も巻数が小さい書籍コンテンツとソート処理の対象となった全雑誌コンテンツの中で最後に購入した雑誌コンテンツと「未読・おすすめ」画面での再生用サムネイル５ｔの表示対象である単行出版物のコンテンツとを含む再生用サムネイル５ｔの表示対象となる全コンテンツの購入日時をソートする。
【０１０８】
そして、電子本棚表示制御部１４１は、単行出版物のコンテンツの再生用サムネイル５ｔと同一シリーズの中で最も巻数が小さい書籍コンテンツのサムネイルが付されたフォルダ５ｆと同一タイトルの中で最後に購入した雑誌コンテンツのサムネイルが付されたフォルダ５ｆとを規定の並び順で第１階層の電子本棚画面内に表示する。具体的には、電子本棚表示制御部１４１は、購入日時が相対的に古いコンテンツのサムネイル５ｔ（またはそのサムネイルが付されたフォルダ５ｆ）が「未読・おすすめ」画面の電子本棚内のより末尾側に表示されるように、再生用サムネイル５ｔおよびフォルダ５ｆを並べて表示する。
【０１０９】
さらに、電子本棚表示制御部１４１は、ユーザによりフォルダ５ｆが指定されると、そのフォルダ５ｆに関連するコンテンツの再生用サムネイル５ｔを第２階層の電子本棚画面に表示する。具体的には、電子本棚表示制御部１４１は、シリーズものの書籍に関するフォルダ５ｆが指定されると、巻数が相対的に小さい書籍コンテンツのサムネイル５ｔが電子本棚内のより先頭側に表示されるように、各書籍コンテンツの再生用サムネイル５ｔを並べて表示する。同様に、電子本棚表示制御部１４１は、雑誌に関するフォルダ５ｆが指定されると、購入日時が相対的に古い雑誌コンテンツのサムネイル５ｔが電子本棚内のより末尾側に表示されるように、各雑誌コンテンツの再生用サムネイル５ｔを並べて表示する。そして、コンテンツ表示処理部１４２は、ユーザにより再生用サムネイル５ｔが指定されると、その再生用サムネイル５ｔに対応するコンテンツを再生して表示部１６０に表示する。また、電子本棚表示制御部１４１は、新聞コンテンツに対しても雑誌コンテンツに対する処理と同様の処理を施す。
【０１１０】
ここで、同一シリーズの中で最も巻数が小さい書籍コンテンツは、そのシリーズを初めて読もうとするユーザ、および、そのシリーズをもう一度最初から読み返そうとするユーザにとって、一番関心の高い書籍コンテンツであると言える。また、ユーザは、これまでに購入した同一タイトルの全雑誌コンテンツのうち、最後に購入した雑誌コンテンツ（情報の鮮度が最も高い）雑誌コンテンツに一番高い関心を示すと言える。新聞コンテンツについても同様である。
【０１１１】
上記の構成によって、電子書籍端末１００は、「未読・おすすめ」画面内に、ユーザにとって関心が高いコンテンツのサムネイルが付されたフォルダ５ｆを表示する。また、電子書籍端末１００は、ユーザによりそのフォルダ５ｆが指定されると、ユーザにとって一番関心が高いコンテンツの再生用サムネイル５ｔが電子本棚内の左上（ユーザにとって目に留まり易い位置）に来るように第２階層の電子本棚画面を表示する。
【０１１２】
したがって、電子書籍端末１００は、閲覧を所望するコンテンツのサムネイルを従来よりも容易にユーザに見つけ出させることができるという効果を奏する。
【０１１３】
（付記事項１）
電子書籍端末１００は、図５に示した態様のフォルダ５ｆに代えて、ユーザがフォルダ５ｆ’を指定した場合に第２階層の電子本棚画面に表示されるサムネイル５ｔの数Ｎが示されたフォルダを表示してもよい。電子書籍端末１００は、例えば、図９の（ａ）および（ｂ）に示されているような、Ｎ層（図９ではＮ＝４）に重なり合ったタイトル表紙を模した画像であって最上層が代表コンテンツのサムネイルになっている画像が付されたフォルダ５ｆ’を表示してもよい。
【０１１４】
このように構成された電子書籍端末１００は、「未読・おすすめ」画面の表示中、何冊も購入したがまだほとんど読み始めていないシリーズ、および、コンテンツ提供者が特におすすめのシリーズをユーザに容易に把握させることができる。該当するシリーズのフォルダ５ｆを見たユーザは、多数の層が重なり合っていることでそのフォルダ５ｆに注目し、フォルダ５ｆに付されたサムネイルから、そのシリーズのタイトルを把握できるからである。
【０１１５】
また、同様の理由で、電子書籍端末１００は、「最近読んだ本」画面の表示中、ユーザが最近何巻も続けて読んでいる（ユーザがとても関心を持っている）シリーズの書籍であってもう一度読み返そうとしている書籍のサムネイル５ｔを表示するためのフォルダ５ｆを、そのユーザの目に留まり易いように表示できる。
【０１１６】
なお、電子書籍端末１００は、付帯情報に「巻数」を示す属性値が含まれていない新聞コンテンツおよび雑誌コンテンツについては図９の（ｂ）に示されているようなフォルダ５ｆ’の代わりに図９の（ｃ）に示されているようなフォルダ５ｆ”を表示してもよい。図９の（ａ）と（ｃ）とを比較するとわかるように、フォルダ５ｆ’とフォルダ５ｆ”とで、付されている画像におけるタイトル表紙の重なり方が異なっている。ユーザは、フォルダに付されている画像におけるタイトル表紙の重なり方を確認することで、そのフォルダを開いたときに再生用サムネイル５ｔが表示されるコンテンツが、「巻数」のあるシリーズものの書籍コンテンツ（ユーザは巻数の順番に読むのが普通であるコンテンツ）であるか、「巻数」のない雑誌コンテンツや新聞コンテンツ（ユーザは新しいコンテンツを読みたいと考えるのが普通であるコンテンツ）であるかを把握することができる。
【０１１７】
（付記事項２）
電子書籍端末１００は、ユーザが注文した各電子出版コンテンツを自装置のコンテンツ記憶部１２０に記憶するように構成されているが、本発明はこれに限られない。クラウド型コンテンツ配信サービスとして電子出版コンテンツが提供される場合、本発明を図１０に示したような電子書籍端末１００’として実施しても良い。図１０において、コンテンツ配信サーバ３００’は、クラウド型コンテンツ配信サービスを提供する配信サーバである。
【０１１８】
図１０に示したように、電子書籍端末１００’は、ユーザが注文した各電子出版コンテンツを固定的に記憶するコンテンツ記憶部１２０を備えていない。
【０１１９】
電子書籍端末１００’も、図４のフローチャートに従った処理を行うことで、第１階層の電子本棚画面を表示できる。ただし、電子書籍端末１００’は、第１階層の電子本棚画面を表示する際に、以下のように、電子書籍端末１００とは一部異なる処理をする。
【０１２０】
すなわち、電子書籍端末１００’の電子本棚表示制御部１４１は、Ｓ１において、ユーザ（コンテンツ配信サーバ３００’のログインユーザ）が注文済みの全コンテンツの付帯情報を、コンテンツ付帯情報取得部１３０’を介してコンテンツ配信サーバ３００’から取得するようになっている。また、電子本棚表示制御部１４１は、Ｓ７において、コンテンツ取得部１１０’を介して再生用サムネイルをコンテンツ配信サーバ３００’から取得し、電子本棚内の所定の並び順でｉ番目の位置に取得した再生用サムネイルを表示する。さらに、電子本棚表示制御部１４１は、Ｓ８において、コンテンツ取得部１１０’を介して再生用サムネイルをコンテンツ配信サーバ３００’から取得し、電子本棚の所定の並び順でｉ番目の位置に、取得した再生用サムネイルと所定のフォルダオブジェクトとを重ねて表示する。
【０１２１】
電子本棚表示制御部１４１は、第２階層の電子本棚画面において再生用サムネイル５ｔを表示する際にも同様の処理を行う。
【０１２２】
また、コンテンツ表示処理部１４２は、ユーザから再生用サムネイル５ｔを指定する操作指示を受け付けると、コンテンツ取得部１１０’を介して再生対象のコンテンツをコンテンツ配信サーバ３００’から取得し、取得したコンテンツを再生して表示部１６０に表示する。なお、再生したコンテンツは電子書籍端末１００’内に保存されないため、電子書籍端末１００’は、再生用サムネイル５ｔを指定する操作指示を受け付けるたびに、再生対象のコンテンツをコンテンツ配信サーバ３００’から取得するようになっている。
【０１２３】
（付記事項３）
電子本棚表示制御部１４１は、以下のようにして、代表コンテンツを決定する処理を行ってもよい。すなわち、「シリーズ名」および「シリーズ名（カナ）」が同一である各書籍コンテンツについては、「販売開始日」をキーとして昇順で各書籍コンテンツの付帯情報をソートしてもよい。また、「シリーズ名」および「シリーズ名（カナ）」が同一である各新聞コンテンツおよび各雑誌コンテンツについては、「販売開始日」をキーとして降順で各コンテンツの付帯情報をソートしてもよい。そして、電子本棚表示制御部１４１は、ソートで付帯情報が先頭に来るコンテンツを代表コンテンツとして決定してもよい。
【０１２４】
また、「シリーズ名」および「シリーズ名（カナ）」が同一である各新聞コンテンツおよび各雑誌コンテンツについては、「ダウンロード日時」をキーとして降順で各コンテンツの付帯情報をソートしてもよい。
【０１２５】
（付記事項４）
上記実施形態では、電子書籍端末１００は、１群のサムネイル５ｔおよびフォルダ５ｆを書字方向に並べて表示するものとしたが、本発明はこれに限定されない。電子書籍端末１００は、１群のサムネイル５ｔおよびフォルダ５ｆを、左側から右側に向けて並べて表示してもよいし、上側から下側に向けて並べて表示してもよい。
【０１２６】
（付記事項５）
本発明は、電子書籍端末ではなく、電子書籍アプリケーションをインストールしたタブレット端末、スマートフォン、汎用ＰＣ等としても実施することができる。
【０１２７】
（付記事項６）
上記実施形態では、電子書籍端末１００は、一連の刊行物の中に対象コンテンツが１つしか存在しない場合に、第１階層の電子本棚画面にその対象コンテンツの再生用サムネイル５ｔを表示するものとした。本発明はこれに限定されない。すなわち、一連の刊行物の中に対象コンテンツが１つしか存在しない場合にも、第１階層の電子本棚画面にその対象コンテンツのサムネイルが付されたフォルダ５ｆを表示してもよい。
【０１２８】
（付記事項７）
本発明は、実施形態で開示した電子書籍端末１００に限定されない。本発明は、例えば、映像コンテンツを再生するためのサムネイル一覧を表示する機能を備えた映像再生装置や音楽コンテンツを再生するためのサムネイル一覧を表示する機能を備えた音楽再生装置としても実施することができる。
【０１２９】
（付記事項８）
上記実施形態では、電子本棚表示制御部１４１は、代表コンテンツのサムネイル５ｔがその代表コンテンツの「購入日時」または「ダウンロード日時」に応じた位置に表示されるように第２階層の電子本棚画面を表示するものとしたが、本発明はこれに限られない。
【０１３０】
すなわち、電子本棚表示制御部１４１は、代表コンテンツのサムネイル５ｔを、代表コンテンツの「購入日時」または「ダウンロード日時」とは無関係に、第２階層の電子本棚画面内における所定の並び順で先頭の位置に表示してもよい。
【０１３１】
具体的には、電子本棚表示制御部１４１は、Ｓ３において、「シリーズ名」および「シリーズ名（カナ）」が同一である各書籍コンテンツについては、「巻数」をキーとして昇順で各書籍コンテンツの付帯情報をソートしてもよい。また、「シリーズ名」および「シリーズ名（カナ）」が同一である各新聞コンテンツおよび各雑誌コンテンツについては、「購入日時」または「ダウンロード日時」をキーとして降順で各コンテンツの付帯情報をソートしてもよい。そして、電子本棚表示制御部１４１は、ソートで付帯情報が先頭に来るコンテンツを代表コンテンツとして決定してもよい。
【０１３２】
この場合、前述の例では、電子本棚表示制御部１４１は、巻数が最も小さい書籍コンテンツである「漫画ガラパモン」の第３巻、および、購入日時が現在時刻に最も近い「週刊シャープ」の２／６号を代表コンテンツとして決定することになる。その結果、電子本棚表示制御部１４１は、Ｓ４において図１１（ａ）のソート済み属性値リストを図１１（ｂ）のソート済み属性値リストに更新し、Ｓ５において図１１（ｂ）のソート済み属性値リストを図１１（ｃ）のソート済み属性値リストに更新することになる。最終的に、電子本棚表示制御部１４１は、図１２に示すような第１階層の電子本棚画面を表示することになる。
【０１３３】
なお、Ｓ３において、電子本棚表示制御部１４１は、書籍コンテンツについても「巻数」ではなく、「購入日時」や「ダウンロード日時」をキーとしてソートしても構わない。また、Ｓ３において、電子本棚表示制御部１４１は、新聞コンテンツや雑誌コンテンツの付帯情報に「巻数」が含まれている場合には、「巻数」をキーとしてソートしても構わない。
【０１３４】
また、電子本棚表示制御部１４１は、フォルダ５ｆを指定する操作指示を受け付けると、指定されたフォルダ５ｆにサムネイルが付されている代表コンテンツを含むＮ個の対象コンテンツの再生用サムネイル５ｔを表示部１６０に表示するが、具体的には以下のような表示処理を行っても良い。
【０１３５】
すなわち、電子本棚表示制御部１４１は、コンテンツ記憶部１２０に記録されているＮ個のコンテンツの各々について、コンテンツの付帯情報内のサムネイル画像を読み出し、各ｊ（ｊ＝１、２、・・、Ｎ）について、Ｓ３のソート処理で先頭からｊ番目にソートされた対象コンテンツのサムネイル画像（再生用サムネイル５ｔ）を、電子本棚の所定の並び順でｊ番目の位置に表示してもよい。
【０１３６】
この場合、電子本棚表示制御部１４１は、代表コンテンツ（Ｓ３のソート処理で先頭の位置にソートされた対象コンテンツ）のサムネイル５ｔを、代表コンテンツの「購入日時」または「ダウンロード日時」とは無関係に、第２階層の電子本棚画面内における所定の並び順で先頭の位置に表示することになる。
【０１３７】
（付記事項９）
上記実施形態では、電子本棚表示制御部１４１は、複数のコンテンツに共通するタイトルが示されたフォルダ５ｆを表示するものとしたが、これに代えて、単にタイトルを表すテキスト（特許請求の範囲の「第２オブジェクト」に対応）を表示してもよい。そして、表示されたテキストがユーザにより指定された場合、電子本棚表示制御部１４１は、そのテキストが表すタイトルを持つ上記複数のコンテンツの各再生用サムネイル５ｔを第２階層の電子本棚画面内に表示してもよい。
【０１３８】
また、上記実施形態では、電子本棚表示制御部１４１は、第１階層および第２階層の電子本棚画面に再生用サムネイル５ｔを表示するものとしたが、これに代えて、コンテンツのタイトルと巻数または号数とを表すテキスト（特許請求の範囲の「第１オブジェクト」に対応）を、上記フォルダ５ｆに代わるテキストとは異なる態様で表示してもよい。そして、表示されたテキストがユーザにより指定された場合、コンテンツ表示処理部１４２は、そのテキストが表すタイトルを持つ該当する巻または号のコンテンツを再生して表示部１６０に表示してもよい。
【０１３９】
例えば、電子本棚表示制御部１４１は、図１３に示すように、図５の２つのフォルダ５ｆおよび３つの再生用サムネイル５ｔに代えて、「〔週刊シャープ 2/6号〕(2/6発売) (2/6購入)」「〔漫画ガラパモン 6巻〕(1/20発売) (1/20購入)」「もしガラパゴスが・・・(1/15発売) (1/15購入)」「ボーナス活用術(12/10発売) (12/10購入)」および「月刊PC活用術 11月号(11/23発売) (11/23購入)」の順に５つのテキストを表示してもよい。なお、テキスト内の亀甲括弧は、そのテキストがフォルダ名であることを示しており、テキスト内に亀甲括弧がないことはそのテキストがファイル名であることを示している。
【０１４０】
そして、「〔漫画ガラパモン 6巻〕(1/20発売) (1/20購入)」というフォルダ名が指定されると、電子本棚表示制御部１４１は、図１４に示すように、各コンテンツのファイル名を、コンテンツの属性「巻数」の属性値の小さい順に上から下へと並べて表示してもよい。同様に、「〔週刊シャープ 2/6号〕(2/6発売) (2/6購入)」というフォルダ名が指定されると、電子本棚表示制御部１４１は、図１５に示すように、各コンテンツのファイル名を、コンテンツの属性「購入日時」の属性値の大きい順（すなわち、購入日時の新しい順）に上から下へと並べて表示してもよい。
【０１４１】
（付記事項１０）
付記事項９では、ユーザが１１個のコンテンツの各々を発売日に購入したケースを例に挙げて説明を行ったが、他の例を挙げておく。例えば、ユーザが、１１月２３日発売の「月刊PC活用術 11月号」を２月１日に購入し、１月１６日発売の「週刊シャープ1/16号」を１月３１日に購入し、１０月２０日発売の「漫画ガラパモン３巻」を１２月１５日に購入し、他の８個の各コンテンツを発売日に購入したケースを挙げる。このケースでは、電子本棚表示制御部１４１は、Ｓ４において図１６（ａ）のソート済み属性値リストを図１６（ｂ）のソート済み属性値リストに更新し、Ｓ５において図１６（ｂ）のソート済み属性値リストを図１６（ｃ）のソート済み属性値リストに更新することになる。その結果、図１７に示すように、電子本棚表示制御部１４１が表示する「未読・おすすめ」画面において、上から２番目の位置に「月刊PC活用術 11月号(11/23発売)(2/1購入)」というファイル名が表示される。
【０１４２】
同様に、１番目および３番目の位置に、それぞれ、「〔週刊シャープ 2/6号〕(2/6発売) (2/6購入)」および「〔漫画ガラパモン 6巻〕(1/20発売)(1/20購入)」」というフォルダ名が表示される。また、４番目および５番目の位置に、それぞれ、「もしガラパゴスが・・・(1/15発売) (1/15購入)」および「ボーナス活用術(12/10発売) (12/10購入)」というファイル名が表示される。
【０１４３】
すなわち、前述したように、「未読・おすすめ」画面に表示されるテキストは、対応するコンテンツ（代表コンテンツ、および、単行出版物に該当するコンテンツ）の属性「購入日時」の属性値の大きい順（すなわち、購入日時の新しい順）に並べられることになる。
【０１４４】
フォルダ名を示すテキストがユーザにより指定された場合、電子本棚表示制御部１４１は、同一シリーズに属し、そのテキストが表すタイトルを持つ各コンテンツのファイル名を第２階層の電子本棚画面内に表示する。例えば、「〔漫画ガラパモン 6巻〕(1/20発売)(1/20購入)」」というフォルダ名がユーザにより指定された場合、図１８に示すように、各コンテンツのファイル名を、コンテンツの属性「巻数」の属性値の小さい順に上から下へと並べて表示する。また、例えば、「〔週刊シャープ 2/6号〕(2/6発売) (2/6購入)」というフォルダ名がユーザにより指定された場合、図１９に示すように、各コンテンツのファイル名を、コンテンツの属性「購入日時」の属性値の大きい順に上から下へと並べて表示する。
【０１４５】
（付記事項１１）
付記事項１０とは別の例として、ユーザが、１１月２３日発売の「月刊PC活用術 11月号」を２月１日に購入し、１月１６日発売の「週刊シャープ1/16号」を２月７日に購入し、１０月２０日発売の「漫画ガラパモン３巻」を１月２７日に購入し、他の８個の各コンテンツを発売日に購入したケースを挙げる。このケースでは、電子本棚表示制御部１４１は、Ｓ４において図２０（ａ）のソート済み属性値リストを図２０（ｂ）のソート済み属性値リストに更新し、Ｓ５において図２０（ｂ）のソート済み属性値リストを図２０（ｃ）のソート済み属性値リストに更新することになる。その結果、図２１に示すように、電子本棚表示制御部１４１が表示する「未読・おすすめ」画面において、先頭の位置に、「〔週刊シャープ 1/16号〕(1/16発売) (2/7購入)」というフォルダ名が表示される。そして、上から２番目の位置に「月刊PC活用術 11月号(11/23発売)(2/1購入)」というファイル名が表示され、上から３番目の位置に「〔漫画ガラパモン 3巻〕(10/20発売)(1/27購入)」」というフォルダ名が表示される。
【０１４６】
同様に、４番目および５番目の位置に、それぞれ、「もしガラパゴスが・・・(1/15発売) (1/15購入)」および「ボーナス活用術(12/10発売) (12/10購入)」というファイル名が表示される。
【０１４７】
この例からもわかるように、「未読・おすすめ」画面に表示されるテキストは、対応するコンテンツ（代表コンテンツ、および、単行出版物に該当するコンテンツ）の属性「購入日時」の属性値の大きい順（すなわち、購入日時の新しい順）に並べられることになる。
【０１４８】
フォルダ名を示すテキストがユーザにより指定された場合、電子本棚表示制御部１４１は、同一シリーズに属し、そのテキストが表すタイトルを持つ各コンテンツのファイル名を第２階層の電子本棚画面内に表示する。例えば、「〔漫画ガラパモン 3巻〕(10/20発売)(1/27購入)」」というフォルダ名がユーザにより指定された場合、図２２に示すように、各コンテンツのファイル名を、コンテンツの属性「巻数」の属性値の小さい順に上から下へと並べて表示する。また、例えば、「〔週刊シャープ 1/16号〕(1/16発売) (2/7購入)」というフォルダ名がユーザにより指定された場合、図２３に示すように、各コンテンツのファイル名を、コンテンツの属性「購入日時」の属性値の大きい順に上から下へと並べて表示する。
【０１４９】
（付記事項１２）
特許請求の範囲の「オブジェクト」とは、コンテンツを再生するために、選択したり、クリックしたり、タップしたりする対象のことで、サムネイル、ファイルアイコン、フォルダアイコン、コンテンツ名、ファイル名、フォルダ名等のことである。また、特許請求の範囲の「第１オブジェクト」とは、選択、クリックまたはタップしたことをトリガとしてコンテンツが再生されるオブジェクトであり、サムネイル、ファイルアイコン、コンテンツ名、ファイル名等のことである。さらに、特許請求の範囲の「第２オブジェクト」とは、選択、クリックまたはタップしたことをトリガとして第１オブジェクトが表示されるオブジェクトであり、サムネイル、フォルダアイコン、フォルダ名等のことである。
【０１５０】
また、特許請求の範囲の「属性情報」とは、付帯情報、または、付帯情報を構成する一部の属性値で構成される集合のことである。
【０１５１】
（プログラム、記録媒体）
最後に、電子書籍端末１００、１００’に含まれている各ブロックは、ハードウェアロジックによって構成すればよい。あるいは、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１５２】
すなわち電子書籍端末１００、１００’の各機能を実現する制御プログラムのプログラムコード（実行形式プログラム、中間コードプログラム、ソースプログラム）をコンピュータで読み取り可能に記録していればよい。電子書籍端末１００、１００’（またはＣＰＵやＭＰＵ）が、供給された記録媒体に記録されているプログラムコードを読み出し、実行すればよい。
【０１５３】
プログラムコードを電子書籍端末１００、１００’に供給する記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などとすることができる。
【０１５４】
また電子書籍端末１００、１００’は、通信ネットワークと接続可能に構成しても、本発明の目的を達成できる。この場合、上記のプログラムコードを、通信ネットワークを介して電子書籍端末１００、１００’に供給する。この通信ネットワークは、電子書籍端末１００、１００’にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、移動体通信網、衛星通信網等であればよい。
【０１５５】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１５７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１５８】
本発明は、電子書籍端末や汎用ＰＣ、スマートフォン等を対象とした電子書籍アプリケーションに適用することができる。
【符号の説明】
【０１５９】
１００、１００’      電子書籍端末（表示制御装置）
１１０、１１０’        コンテンツ取得部
１２０                  コンテンツ記憶部
１３０、１３０’        コンテンツ付帯情報取得部
１４０                  表示制御部
１４１                    電子本棚表示制御部（分類手段、第１整列手段、第２整列
手段、選択手段、第３整列手段、第１の表示制御手段、第
２の表示制御手段）
１４２                    コンテンツ表示処理部
１５０                  入力部
１６０                  表示部
２００                ネットワーク
３００、３００’      コンテンツ配信サーバ
【図１】
0005944202.tif 000002
【図２】
0005944202.tif 000003
【図３】
0005944202.tif 000004
【図４】
0005944202.tif 000005
【図５】
0005944202.tif 000006
【図６】
0005944202.tif 000007
【図７】
0005944202.tif 000008
【図８】
0005944202.tif 000009
【図９】
0005944202.tif 000010
【図１０】
0005944202.tif 000011
【図１１】
0005944202.tif 000012
【図１２】
0005944202.tif 000013
【図１３】
0005944202.tif 000014
【図１４】
0005944202.tif 000015
【図１５】
0005944202.tif 000016
【図１６】
0005944202.tif 000017
【図１７】
0005944202.tif 000018
【図１８】
0005944202.tif 000019
【図１９】
0005944202.tif 000020
【図２０】
0005944202.tif 000021
【図２１】
0005944202.tif 000022
【図２２】
0005944202.tif 000023
【図２３】
0005944202.tif 000024